(57)【要約】【課題】ロックレバーの操作性の向上を図り、製造や着脱作業を容易にし、コストの低減化を図る。【解決手段】本発明は、モジュラージャック１との接続状態を保持するためにモジュラープラグ２に形成されたロックレバー５が脱落した時に、ロックレバー５の代わりにモジュラープラグ２に装着されるモジュラープラグ用ロックレバー代替部品２１，３１であって、モジュラープラグ２の基端側に装着されるベース部２２，３２と、ベース部２２，３２から先端方向に折曲して片持ち梁状に形成され、モジュラージャック１に係止可能な係止部２９が先端に形成されたロックレバー代替部２３とを備えていることを特徴とする。【選択図】図１
2008181671.tif 000002
【特許請求の範囲】
【請求項１】
モジュラージャックとの接続状態を保持するためにモジュラープラグに形成されたロックレバーが脱落した時に、該ロックレバーの代わりに前記モジュラープラグに装着されるモジュラープラグ用ロックレバー代替部品であって、
前記モジュラープラグの基端側に装着されるベース部と、
該ベース部から先端方向に折曲して片持ち梁状に形成され、前記モジュラージャックに係止可能な係止部が先端に形成されたロックレバー代替部と、
を備えていることを特徴とするモジュラープラグ用ロックレバー代替部品。
【請求項２】
前記ロックレバー代替部の基端部の厚みは、該基端部の先端側部分より薄くなっている請求項１に記載のモジュラープラグ用ロックレバー代替部品。
【請求項３】
前記ベース部は、弾性部材により形成され、その弾性により前記モジュラープラグの外周部を挟持するように形成されている請求項１又は２に記載のモジュラープラグ用ロックレバー代替部品。
【請求項４】
前記ベース部は、弾性部材により形成され、その弾性により前記モジュラープラグの基端側縁部を挟持するように形成されている請求項１又は２に記載のモジュラープラグ用ロックレバー代替部品。
【発明の詳細な説明】
【技術分野】
【０００１】
本発明は、モジュラージャックとの接続状態を保持するためにモジュラープラグに形成されたロックレバーが脱落した時に、該ロックレバーの代わりに前記モジュラープラグに装着されるモジュラープラグ用ロックレバー代替部品に関するものである。
【背景技術】
【０００２】
従来、電話設備やＬＡＮ（Local Area Network）のケーブル接続に使用されるコネクタ部品として、図７に示すようにモジュラージャック１と該モジュラージャック１に嵌合するモジュラープラグ２が知られている。
【０００３】
このうち、モジュラープラグ２は、ケーブル３の先端に接続されるプラグ本体４と、該プラグ本体４の先端部から基端方向に折曲されて片持ち梁状に形成されたロックレバー５とから概略構成されており、ロックレバー５にはモジュラージャック１に係止可能なように拡幅された係止部６が形成されている。
【０００４】
そして、このようなモジュラープラグ２をモジュラージャック１に対して嵌脱させる際には、ロックレバー５をプラグ本体４に対して近接離反方向に弾性変形させ、係止部６をモジュラージャック１に係脱させる。
【０００５】
ところが、この時、ロックレバー５が片持ち梁状を成しているため、モジュラープラグ２のモジュラージャック１への接続作業中等に、ロックレバー５が破損し、モジュラープラグ２から脱落してしまうことがあった。そして、このようにロックレバー５が破損した場合には、モジュラープラグ２をケーブル３から取り外した後に、さらに別のモジュラープラグ２を取り付けるといったモジュラープラグ２の交換作業が必要となり、この交換作業に手間が掛かるといった問題があった。
【０００６】
そこで、近年、このような問題を解決するため、モジュラープラグ２のロックレバー５が破損した場合に、モジュラープラグ２全体を交換する代わりに、ロックレバー５部分を後付けするモジュラープラグ用ロックレバー代替部品が提案されている。
【０００７】
この種の従来のモジュラープラグ用ロックレバー代替部品としては、例えば、図８に示すように、プラグ本体４に対して螺子や両面接着テープ等により固定されるアダプタ本体１１と、該アダプタ本体１１の先端側延出部分１２の先端において基端側に折曲されて片持ち梁状に形成されたロックレバー１３とを備えたロック金具１４等が公知である（例えば、特許文献１又は特許文献２参照）。
【特許文献１】特開２００１−６８２１３号公報
【特許文献２】特開２００３−３３１９９１号公報
【発明の開示】
【発明が解決しようとする課題】
【０００８】
しかしながら、上記した従来のモジュラープラグ用ロックレバー代替部品では、ロックレバー１３がアダプタ本体１１の先端側延出部分１２の先端において基端側に折曲されて形成されており、先端側延出部分１２の厚み分、ロックレバー１３とプラグ本体４との間の隙間が小さくなるため、ロックレバー１３の操作性が悪くなるといった問題があった。
【０００９】
また、寸法上余裕のない先端部分に折曲部分１５が形成されることによって、製造に際して極めて高い精度が要求されるため、製造に手間が掛かり、コストの増大要因になるといった問題があった。
【００１０】
さらに、ロックレバー５の破損箇所１６が基端寄りであった場合には、折曲部分１５がその破損箇所１６に当接してしまい、アダプタ本体１１をモジュラープラグ２に装着することができないといった問題があった。
【００１１】
さらにまた、モジュラープラグ２に対して螺子や両面接着テープによりアダプタ本体１１を固定しているため、その固定作業に手間が掛かると共に、部品点数が増加し、コストの低減化が図り難いといった問題もあった。
【００１２】
本発明は、上記した課題を解決すべくなされたものであり、ロックレバーの操作性の向上を図り、製造や着脱作業が容易で、コストの低減化が可能なモジュラープラグ用ロックレバー代替部品を提供することを目的とするものである。
【課題を解決するための手段】
【００１３】
上記した目的を達成するため、本発明は、モジュラージャックとの接続状態を保持するためにモジュラープラグに形成されたロックレバーが脱落した時に、該ロックレバーの代わりに前記モジュラープラグに装着されるモジュラープラグ用ロックレバー代替部品であって、前記モジュラープラグの基端側に装着されるベース部と、該ベース部から先端方向に折曲して片持ち梁状に形成され、前記モジュラージャックに係止可能な係止部が先端に形成されたロックレバー代替部とを備えていることを特徴とする。
【００１４】
そして、前記ロックレバー代替部の基端部の厚みは、該基端部の先端側部分より薄くなっているのがよい。
【００１５】
また、前記ベース部は、弾性部材により形成され、その弾性により前記モジュラープラグの外周部を挟持するように形成されていてもよい。
【００１６】
さらに、前記ベース部材は、弾性部材により形成され、その弾性により前記モジュラープラグの基端側縁部を挟持するように形成されていてもよい。
【発明の効果】
【００１７】
本発明によれば、ロックレバーの操作性を向上させることができ、製造や着脱作業が容易となり、コストの低減化を図ることができる。
【発明を実施するための最良の形態】
【００１８】
以下、図面を参照しつつ、本発明の実施の形態について説明する。
【００１９】
先ず、図１及び図２により、本発明の第１の実施の形態に係るモジュラープラグ用ロックレバー代替部品について説明する。ここで、図１は同モジュラープラグ用ロックレバー代替部品を示す斜視図、図２は同モジュラープラグ用ロックレバー代替部品を示す断面図である。なお、以下の説明において、モジュラージャック及びモジュラープラグは、従来と同様の構成を有しているため、図１及び図２中、図７及び図８と同一の符号を付し、それらの詳細な説明は省略する。
【００２０】
本実施の形態に係るモジュラープラグ用ロックレバー代替部品２１は、モジュラージャック１との接続状態を保持するためにモジュラープラグ２に形成されたロックレバー５が脱落した時に、このロックレバー５の代わりにモジュラープラグ２に装着されるものであり、モジュラープラグ２の基端側に装着されるベース部２２と、該ベース部２２の基端部に突設されるロックレバー代替部２３とを備えて構成されている。
【００２１】
ベース部２２は、例えば合成樹脂板や金属板等の弾性部材から成り、モジュラープラグ２のプラグ本体４の上面に接するように形成された上面部２４と、プラグ本体４の左右側面に接するように形成された左右側面部２５ａ，２５ｂと、プラグ本体４の底面の左右端部に係止するように形成された左右一対の係止部２６ａ，２６ｂとにより構成されている。そして、ベース部２２は、プラグ本体４に装着時、その弾性により、プラグ本体４の外周部を挟持するようになっており、螺子や両面接着テープを使用することなく、プラグ本体４に確実に固定される。なお、特に図示しないが、左右係止部２６ａ，２６ｂの内面側に凸部を形成し、この凸部がプラグ本体２５の底面に形成された凹部に係合するようにしてもよい。
【００２２】
ロックレバー代替部２３は、ベース部２２の上面部２４の基端部において先端方向に折曲されて先端側斜め上方に延出した形状を有しており、片持ち梁状を成している。そして、ロックレバー代替部２３の基端部２７の厚みは、該基端部２７の先端側部分２８より薄くなっており、基端部２７が弾性変形することによりロックレバー代替部２３が上下に変位可能となっている。なお、この場合、基端部２７の厚さを薄くしても、基端部２７の軸方向の長さを長く確保することができるため、強度上問題となることはない。また、ロックレバー代替部２３の先端にはモジュラージャック１に係止可能なように幅広に係止部２９が形成されている。
【００２３】
このような構成を備えたモジュラープラグ用ロックレバー代替部品２１において、モジュラープラグ２のモジュラージャック１への接続作業中等に、モジュラープラグ２のロックレバー５が脱落した場合、ベース部２２の弾性によりプラグ本体４の外周部を挟持させ、ベース部２２をプラグ本体２４の基端部に固定する。この時、ロックレバー代替部２３の先端に係止部２９が形成されており、係止部２９とロックレバー５の破損箇所１６との間の隙間を十分に確保することができるため、ロックレバー５の破損箇所１６が基端寄りであったとしても、ロックレバー代替部２３の先端がその破損箇所１６に当接することがない。したがって、ベース部２２のプラグ本体４への装着作業を円滑且つ確実に行うことができる。
【００２４】
上記したようにモジュラープラグ用ロックレバー代替部品２１を装着したモジュラープラグ２をモジュラージャック１に接続する場合、ロックレバー代替部２３をプラグ本体４に対して近接方向に押圧操作し、ロックレバー代替部２３の基端部２７を弾性変形させた状態で、モジュラープラグ２をモジュラージャック１内に押し込む。そして、ロックレバー代替部２３の押圧操作を解除すると、ロックレバー代替部２３がその弾性力により元の状態に戻り、係止部２９がモジュラージャック１に係止し、モジュラープラグ２とモジュラージャック１とが接続され、この接続状態は確実に保持される。
【００２５】
一方、モジュラープラグ用ロックレバー代替部品２１を装着したモジュラープラグ２をモジュラージャック１から取り外す場合には、ロックレバー代替部２３をプラグ本体４に対して近接方向に押圧操作し、係止部２９とモジュラージャック１との係止状態を解除した上で、モジュラープラグ２をモジュラージャック１から引き抜く。
【００２６】
このようにモジュラージャック１に対するモジュラープラグ２の嵌脱動作の間、ロックレバー代替部２３の基端部２７が先端側部分２８より薄く形成されていると共にロックレバー代替部２３とプラグ本体４との間に十分な隙間が確保されているため、ロックレバー代替部２３の操作性は向上し、モジュラープラグ２のモジュラージャック１への嵌脱動作を円滑且つ容易に行うことができる。
【００２７】
次に、図３及び図４により、本発明の第２の実施の形態に係るモジュラープラグ用ロックレバー代替部品について説明する。ここで、図３は同モジュラープラグ用ロックレバー代替部品を示す斜視図、図４は同モジュラープラグ用ロックレバー代替部品を示す断面図である。なお、以下の説明において、モジュラージャック及びモジュラープラグは、従来と同様の構成を有しているため、図３及び図４中、図７及び図８と同一の符号を付し、それらの詳細な説明は省略する。また、ロックレバー代替部２３の構成及び作用は、上記した第１の実施の形態と同様であるため、図３及び図４中、図１及び図２と同一の符号を付し、それらの詳細な説明は省略する。
【００２８】
本実施の形態に係るモジュラープラグ用ロックレバー代替部品３１は、モジュラージャック１との接続状態を保持するためにモジュラープラグ２に形成されたロックレバー５が脱落した時に、このロックレバー５の代わりにモジュラープラグ２に装着されるものであり、モジュラープラグ２の基端側に装着されるベース部３２と、該ベース部３２の基端部に突設されるロックレバー代替部２３とを備えて構成されている。
【００２９】
ベース部３２は、例えば合成樹脂板や金属板等の弾性部材から成り、モジュラープラグ２のプラグ本体４の上面の外面側に接するように形成された上面部３３と、プラグ本体４の上面の内面側に係止するように形成された左右一対の係止部３４ａ，３４ｂとにより構成されている。そして、ベース部３２は、プラグ本体４に装着時、その弾性により、上面部３３と係止部３４ａ，３４ｂとがプラグ本体４の基端側縁部を挟持するようになっており、螺子や両面接着テープを使用することなく、プラグ本体４に確実に固定される。
【００３０】
なお、ベース部３２は、上記した構成に限定されるものではなく、例えば、図５に示すように上面部３３から係止部３４ａ，３４ｂの位置まで左右側面部３５ａ，３５ｂを形成させたり、図６に示すように上面部３３から係止部３４ａ，３４ｂのさらに下方位置まで左右側面部３６ａ，３６ｂを形成させたりしてもよい。そして、これらの場合には、左右側面部３５ａ，３５ｂ、３６ａ，３６ｂにより、プラグ本体４を挟持することができるため、ベース部３２をより堅固にプラグ本体４に固定することができる。
【００３１】
上記したように本発明の実施の形態に係るモジュラープラグ用ロックレバー代替部品２１，３１によれば、ロックレバー代替部２３がベース部２２，３２から先端方向に折曲して片持ち梁状を成しており、ロックレバー代替部２３とプラグ本体４との間の隙間を十分に確保することができるため、ロックレバー代替部２３の操作性を高めることができる。
【００３２】
また、寸法上余裕のあるベース２２，３２の基端部に折曲部分が形成されているため、高い製造精度を要求されることがない。したがって、製造が容易となり、コストの低減化を図ることができる。
【００３３】
さらに、ロックレバー５の破損箇所１６が基端寄りであったとしても、ロックレバー代替部２３がその破損箇所１６に当接することがないため、プラグ本体４に対するベース部２２，３２の装着作業を円滑且つ確実に行うことができる。
【００３４】
さらにまた、螺子や両面接着テープを使用することなく、プラグ本体４にベース部２２，３２を装着することができるため、その固定作業が簡素化されると共に、部品点数の削減が図れ、コストの低減化が可能となる。
【図面の簡単な説明】
【００３５】
【図１】本発明の第１の実施の形態に係るモジュラープラグ用ロックレバー代替部品を示す斜視図である。
【図２】本発明の第１の実施の形態に係るモジュラープラグ用ロックレバー代替部品を示す断面図である。
【図３】本発明の第２の実施の形態に係るモジュラープラグ用ロックレバー代替部品を示す斜視図である。
【図４】本発明の第２の実施の形態に係るモジュラープラグ用ロックレバー代替部品を示す断面図である。
【図５】本発明の第２の実施の形態に係るモジュラープラグ用ロックレバー代替部品の変形例を示す斜視図である。
【図６】本発明の第２の実施の形態に係るモジュラープラグ用ロックレバー代替部品の別の変形例を示す斜視図である。
【図７】従来例を示す断面図である。
【図８】従来例を示す断面図である。
【符号の説明】
【００３６】
１          モジュラージャック
２          モジュラープラグ
４          プラグ本体
５          ロックレバー
２１        モジュラープラグ用ロックレバー代替部品
２２        ベース部
２３        ロックレバー代替部
２７        基端部
２８        先端側部分
２９        係止部
３１        モジュラープラグ用ロックレバー代替部品
３２        ベース部
【図１】
2008181671.tif 000003
【図２】
2008181671.tif 000004
【図３】
2008181671.tif 000005
【図４】
2008181671.tif 000006
【図５】
2008181671.tif 000007
【図６】
2008181671.tif 000008
【図７】
2008181671.tif 000009
【図８】
2008181671.tif 000010